(57)【特許請求の範囲】
【請求項１】
少なくとも２本の導線を有する第１配線ダクトレールと第２配線ダクトレールにまたがって装着可能な灯具であって、
ケースと、
前記ケース内に収容される基板と、
前記基板の両端に設けられた第１端子、第２端子と、
前記基板に設けられた、前記第１端子と前記第２端子とを接続する第１配線と、
前記基板の両端に設けられた第３端子、第４端子と、
前記基板に設けられた、前記第３端子と前記第４端子とを接続する第２配線と、
前記第１配線と前記第２配線に電気的に接続されるＬＥＤと、
を備え、
当該灯具が前記第１配線ダクトレールと前記第２配線ダクトレールにまたがって装着されたとき、前記第１端子が前記第１配線ダクトレールの第１導線に電気的に接続され且つ前記第２端子が前記第２配線ダクトレールの第１導線に電気的に接続されることで、前記第１配線を介して前記第１配線ダクトレールと前記第２配線ダクトレールの第１導線同士が電気的に接続され、前記第３端子が前記第１配線ダクトレールの第２導線に電気的に接続され且つ前記第４端子が前記第２配線ダクトレールの第２導線に電気的に接続されることで、前記第２配線を介して前記第１配線ダクトレールと前記第２配線ダクトレールの第２導線同士が電気的に接続される、
ことを特徴とする灯具。
【請求項２】
直列に接続された複数のＬＥＤを有し、先頭のＬＥＤのカソードが前記第２配線に電気的に接続され、最後尾のＬＥＤのアノードが前記第１配線に電気的に接続されることを特徴とする請求項１に記載の灯具。
【請求項３】
前記第１配線と前記第２配線に電気的に接続されるＬＥＤは、赤色ＬＥＤであり、
前記基板の両端に設けられた第５端子、第６端子と、
前記基板に設けられた、前記第５端子と前記第６端子とを接続する第３配線と、
前記基板の両端に設けられた第７端子、第８端子と、
前記基板に設けられた、前記第７端子と前記第８端子とを接続する第４配線と、
前記第１配線と前記第３配線に電気的に接続される緑色ＬＥＤと、
前記第１配線と前記第４配線に電気的に接続される青色ＬＥＤと、
をさらに備え、
当該灯具が前記第１配線ダクトレールと前記第２配線ダクトレールにまたがって装着されたとき、前記第１端子が前記第１配線ダクトレールの第１導線に電気的に接続され且つ前記第２端子が前記第２配線ダクトレールの第１導線に電気的に接続されることで、前記第１配線を介して前記第１配線ダクトレールと前記第２配線ダクトレールの第１導線同士が電気的に接続され、前記第３端子が前記第１配線ダクトレールの第２導線に電気的に接続され且つ前記第４端子が前記第２配線ダクトレールの第２導線に電気的に接続されることで、前記第２配線を介して前記第１配線ダクトレールと前記第２配線ダクトレールの第２導線同士が電気的に接続され、前記第５端子が前記第１配線ダクトレールの第３導線に電気的に接続され且つ前記第６端子が前記第２配線ダクトレールの第３導線に電気的に接続されることで、前記第３配線を介して前記第１配線ダクトレールと前記第２配線ダクトレールの第３導線同士が電気的に接続され、前記第７端子が前記第１配線ダクトレールの第４導線に電気的に接続され且つ前記第８端子が前記第２配線ダクトレールの第４導線に電気的に接続されることで、前記第４配線を介して前記第１配線ダクトレールと前記第２配線ダクトレールの第４導線同士が電気的に接続されることを特徴とする請求項１に記載の灯具。
【請求項４】
直列に接続された複数の赤色ＬＥＤを有し、先頭の赤色ＬＥＤのカソードが前記第２配線に電気的に接続され、最後尾の赤色ＬＥＤのアノードが前記第１配線に電気的に接続され、
直列に接続された複数の緑色ＬＥＤを有し、先頭の緑色ＬＥＤのカソードが前記第３配線に電気的に接続され、最後尾の緑色ＬＥＤのアノードが前記第１配線に電気的に接続され、
直列に接続された複数の青色ＬＥＤを有し、先頭の青色ＬＥＤのカソードが前記第４配線に電気的に接続され、最後尾の青色ＬＥＤのアノードが前記第１配線に電気的に接続されることを特徴とする請求項３に記載の灯具。
【請求項５】
少なくとも２本の導線を有する第１配線ダクトレールおよび第２配線ダクトレールと、第１配線ダクトレールと第２配線ダクトレールにまたがって装着される灯具と、を備えた照明装置であって、
前記灯具は、
ケースと、
前記ケース内に収容される基板と、
前記基板の両端に設けられた第１端子、第２端子と、
前記基板に設けられた、前記第１端子と前記第２端子とを接続する第１配線と、
前記基板の両端に設けられた第３端子、第４端子と、
前記基板に設けられた、前記第３端子と前記第４端子とを接続する第２配線と、
前記第１配線と前記第２配線に電気的に接続されるＬＥＤと、
を備え、
前記第１配線ダクトレールと前記第２配線ダクトレールは、それぞれの端面を突き合わせて配置され、
当該灯具が前記第１配線ダクトレールと前記第２配線ダクトレールにまたがって装着されたとき、前記第１端子が前記第１配線ダクトレールの第１導線に電気的に接続され且つ前記第２端子が前記第２配線ダクトレールの第１導線に電気的に接続されることで、前記第１配線を介して前記第１配線ダクトレールと前記第２配線ダクトレールの第１導線同士が電気的に接続され、前記第３端子が前記第１配線ダクトレールの第２導線に電気的に接続され且つ前記第４端子が前記第２配線ダクトレールの第２導線に電気的に接続されることで、前記第２配線を介して前記第１配線ダクトレールと前記第２配線ダクトレールの第２導線同士が電気的に接続される、
ことを特徴とする照明装置。
【発明の詳細な説明】
【技術分野】
【０００１】
本発明は、灯具および照明装置に関し、特に、配線ダクトレールに装着して用いられる灯具、およびその灯具を用いた照明装置に関する。
【背景技術】
【０００２】
従来、天井や壁面に設けられた配線ダクトレールに、スポットライト等の灯具を装着して用いる照明装置が知られている（例えば、特許文献１）。
【特許文献１】特開２００６−２４５１３号公報
【発明の開示】
【発明が解決しようとする課題】
【０００３】
ところで、配線ダクトレールを用いた照明装置においては、２つの配線ダクトレールを電気的に接続する際に、ジョイナーと呼ばれる接続部材が用いられる。このジョイナーは、配線ダクトレール間に設けられ、配線ダクトレールの導線同士を電気的に接続するものである。しかしながら、ジョイナーを用いて配線ダクトレールを接続した場合、ジョイナーの位置する箇所には、灯具を配置することができない。
【０００４】
本発明はこうした状況に鑑みてなされたものであり、その目的は、配線ダクトレールを電気的に接続する機能を兼ね備えた灯具、およびその灯具を用いた照明装置を提供することにある。
【課題を解決するための手段】
【０００５】
上記課題を解決するために、本発明のある態様の灯具は、少なくとも２本の導線を有する配線ダクトレールに装着して用いられる灯具であって、第１配線および第２配線を有する基板と、第１配線にそれぞれ電気的に接続され、当該灯具を配線ダクトレールに装着した際に配線ダクトレールの第１導線に電気的に接続される第１端子、第２端子と、第２配線にそれぞれ電気的に接続され、当該灯具を配線ダクトレールに装着した際に配線ダクトレールの第２導線に電気的に接続される第３端子、第４端子と、第１配線と第２配線に電気的に接続されるＬＥＤと、基板を収容するケースと、を備える。
【０００６】
また、直列に接続された複数のＬＥＤを有し、先頭のＬＥＤのカソードが第２配線に電気的に接続され、最後尾のＬＥＤのアノードが第１配線に電気的に接続されてもよい。
【０００７】
この態様によると、灯具の第１端子、第３端子を一方の配線ダクトレールに接続し、灯具の第２端子、第４端子を他方の配線ダクトレールに接続することにより、２つの配線ダクトレールを電気的に接続できる。
【０００８】
基板は、さらに第３配線および第４配線を有してもよい。第３配線にそれぞれ電気的に接続され、当該灯具を配線ダクトレールに装着した際に配線ダクトレールの第３導線に電気的に接続される第５端子、第６端子と、第４配線にそれぞれ電気的に接続され、当該灯具を配線ダクトレールに装着した際に配線ダクトレールの第４導線に電気的に接続される第７端子、第８端子と、第１配線と第２配線に電気的に接続される赤色ＬＥＤと、第１配線と第３配線に電気的に接続される緑色ＬＥＤと、第１配線と第４配線に電気的に接続される青色ＬＥＤと、を備えてもよい。
【０００９】
また、直列に接続された複数の赤色ＬＥＤを有し、先頭の赤色ＬＥＤのカソードが第２配線に電気的に接続され、最後尾の赤色ＬＥＤのアノードが第１配線に電気的に接続され、直列に接続された複数の緑色ＬＥＤを有し、先頭の緑色ＬＥＤのカソードが第３配線に電気的に接続され、最後尾の緑色ＬＥＤのアノードが第１配線に電気的に接続され、直列に接続された複数の青色ＬＥＤを有し、先頭の青色ＬＥＤのカソードが第４配線に電気的に接続され、最後尾の青色ＬＥＤのアノードが第１配線に電気的に接続されてもよい。
【００１０】
この場合、第１配線と第２配線、第１配線と第３配線、第１配線と第４配線の電位差をそれぞれ制御することにより、赤色ＬＥＤ、緑色ＬＥＤ、青色ＬＥＤの発光強度をそれぞれ制御できるので、フルカラー発光が可能な灯具を実現できる。
【００１１】
本発明の別の態様は、照明装置である。この照明装置は、少なくとも２本の導線を有する複数の配線ダクトレールと、配線ダクトレールに装着される灯具と、を備えた照明装置であって、灯具は、第１配線および第２配線を有する基板と、第１配線にそれぞれ電気的に接続される第１端子、第２端子と、第２配線にそれぞれ電気的に接続される第３端子、第４端子と、第１配線と第２配線に電気的に接続されるＬＥＤと、基板を収容するケースと、を備え、第１配線ダクトレールと第２配線ダクトレールは、それぞれの端面を突き合わせて配置され、灯具は、第１配線ダクトレールと第２配線ダクトレールにまたがって装着され、第１端子は、第１配線ダクトレールの第１導線に電気的に接続され、第２端子は、第２配線ダクトレールの第１導線に電気的に接続され、第３端子は、第１配線ダクトレールの第２導線に電気的に接続され、第４端子は、第２配線ダクトレールの第２導線に電気的に接続される。
【００１２】
この態様によると、灯具によって第１配線ダクトレールと第２配線ダクトレールを電気的に接続した照明装置を実現できる。
【発明の効果】
【００１３】
本発明によれば、配線ダクトレールを電気的に接続する機能を兼ね備えた灯具、およびその灯具を用いた照明装置を提供することができる。
【発明を実施するための最良の形態】
【００１４】
図１は、本実施の形態に係る照明装置１０を示す図である。図１に示す照明装置１０は、主に商業空間の屋外照明や屋内照明といった電飾に用いられる。図１に示すように、照明装置１０は、天井や壁などに固定される配線ダクトレール１２と、配線ダクトレール１２に装着して用いられる灯具１４と、を備える。
【００１５】
灯具１４は、配線ダクトレール１２にスライド自在に装着されており、ユーザは、配線ダクトレール１２の自由な位置に灯具１４を装着して使用することができる。なお、図１には、配線ダクトレール１２に対して１つの灯具１４が装着されている様子を示しているが、配線ダクトレール１２には、複数の灯具１４を装着することも可能である。
【００１６】
図１に示すように、配線ダクトレール１２は、カーテンレール状に形成される。配線ダクトレール１２は、樹脂にて一体成形されてもよい。この場合、配線ダクトレールを軽量化できる。また、配線ダクトレール１２を樹脂にて一体成形した場合には、設置する場所に応じて容易に配線ダクトレール１２を任意の長さに加工することができる。配線ダクトレール１２は、例えば０．５ｍ〜１．５ｍ程度の長さに形成される。
【００１７】
配線ダクトレール１２は、その底面部である基部１６に、赤色ＬＥＤ用導線２２ａ、緑色ＬＥＤ用導線２２ｂ、青色ＬＥＤ用導線２２ｃ、コモン用導線２２ｄを備える。以下では、適宜、赤色ＬＥＤ用導線２２ａ、緑色ＬＥＤ用導線２２ｂ、青色ＬＥＤ用導線２２ｃ、コモン用導線２２ｄを総称して「導線２２」と呼ぶ。
【００１８】
灯具１４は、図１に示すように、配線ダクトレール１２にスライド自在に係合するように形成された棒状の灯具である。配線ダクトレール１２は、例えば２０ｃｍ程度の長さに形成される。灯具１４には、ＲＧＢ（赤色、緑色、青色）３色のＬＥＤが搭載されており、３色のＬＥＤに印加される電圧を制御することにより、それぞれ異なる強さで発光させることができる。３色のＬＥＤの発光強度を調整することにより、フルカラー発光を実現できる。ＬＥＤが発光した光は、ＬＥＤ開口部３０から外部に放射される。
【００１９】
図２は、本実施の形態に係る配線ダクトレール１２の正面図である。図２に示すように、配線ダクトレール１２は、基部１６と、側部２０と、灯具係止部１８と、溝部２４と、導線２２と、を備える。
【００２０】
基部１６は、配線ダクトレール１２の底面部に位置し、灯具１４に電力を供給するための導線２２を備える。配線ダクトレール１２は、基部１６の短手方向の両縁部から、一対の側部２０が上方に延設されている。側部２０の上端部には、灯具１４を係止するための灯具係止部１８が、内側に相対向するように延設されている。
【００２１】
基部１６の上面には、導線２２を収容するための溝部２４が設けられる。本実施の形態に係る配線ダクトレール１２では、４本の導線２２を収容するために、４つの溝部２４が設けられている。４つの溝部２４は、配線ダクトレール１２の長手方向に沿って平行に、所定の間隔を有して設けられている。
【００２２】
図２に示すように、溝部２４は、基部１６の上面に開口する第１溝部２４ａと、第１溝部２４ａの下方に形成される第２溝部２４ｂと、を有して構成される。第１溝部２４ａは、断面視で幅Ｗａ、深さＤａの矩形状の溝である。第２溝部２４ｂは、断面視で幅Ｗｂ、深さＤｂの矩形状の溝である。
【００２３】
本実施の形態に係る配線ダクトレール１２において、第２溝部２４ｂの幅Ｗｂは、導線２２の直径Ｗｄより大きく形成される。これにより、第２溝部２４ｂに導線２２を収容することができる。さらに、基部１６上面における開口幅Ｗａは、導線２２の直径Ｗｄよりも小さく形成される。これにより、第２溝部２４ｂに収容された導線２２が、溝部２４の外部に外れることを防止できる。
【００２４】
また、溝部２４は、第１溝部２４ａの幅Ｗａ、第２溝部２４ｂの深さＤｂ、導線２２の直径Ｗｄが、下記の（１）式を満たすように形成される。例えば、Ｗｄ＝１．２ｍｍ、Ｗａ＝１．０５ｍｍのとき、Ｄｂ≦０．８９ｍｍとなるように形成される。これにより、第１溝部２４ａの両下端部と、第２溝部２４ｂの底面とにより、導線２２を断面視で３点接触にて支持できる。
【００２５】
【数１】
0004698485.tif 000002
【００２６】
本実施の形態に係る配線ダクトレール１２において、溝部２４には、断面円形状の導線２２が収容保持される。図２に示すように、導線２２は、その中心軸が第２溝部２４ｂの内部に位置するように収容される。
【００２７】
ここで、配線ダクトレール１２が、レールの長手方向を軸としてねじれた場合について考察する。特に、基部１６、側部２０、灯具係止部１８を樹脂にて一体成形した場合には、金属で成形した場合よりも配線ダクトレール１２の剛性が低下するので、レールの長手方向を軸としてねじれが生じやすくなる。
【００２８】
配線ダクトレール１２がねじれた場合、導線２２も共にねじれ、溝部２４内を回転しようとする。導線が断面四角形状の場合、導線が回転しようとすると、導線は溝部による係止を解かれ、溝部から外れてしまう。本実施の形態に係る配線ダクトレール１２では、導線２２を断面円形状としたので、配線ダクトレール１２にねじれが生じた場合であっても、導線２２は、溝部２４内を回転することができ、溝部２４から導線２２が外れることを防止できる。
【００２９】
図２に示すように、本実施の形態に係る配線ダクトレール１２では、導線２２の中心軸は第２溝部２４ｂ内部に位置すると共に、導線２２の上端は第１溝部２４ａ内部に位置するように溝部２４が形成されている。このように、溝部２４は、導線２２が基部１６の上面から突出しないよう形成されることが好ましい。導線２２が基部１６の上面から突出しないように溝部２４を形成することによって、ユーザの手指が導線に触れ、感電することを防止できる。また、金属片などによる導線間の短絡を防止できる。
【００３０】
また、上述したように、本実施の形態に係る配線ダクトレール１２では、第１溝部２４ａの両下端部と、第２溝部２４ｂの底面とにより、導線２２を断面視で３点接触にて収容保持している。この場合、導線２２の外周面が溝部２４の内壁面に面接触している場合よりも、導線２２が溝部２４内を回転しやすくなるので、より効果的に溝部２４から導線２２が外れることを防止できる。
【００３１】
基部１６、側部２０、灯具係止部１８を樹脂にて一体成形する場合、樹脂成形後に溝部２４に導線２２を嵌入することによって配線ダクトレール１２を製造する。基部１６、側部２０、灯具係止部１８を樹脂にて一体成形した場合には、樹脂の可撓性により、導線２２の大きさが多少の誤差を有していても、溝部２４に導線２２を嵌入することが可能となる。
【００３２】
図３は、図１に示す灯具１４のＸ−Ｘ断面図である。図３に示すように、灯具１４は、上ケース３２と、下ケース３４と、を備える。上ケース３２と、下ケース３４は、互いに係合した状態で間に中空部が形成されるように接合される。上ケース３２と下ケース３４の間に形成される中空部には、赤色ＬＥＤ４２ａ、緑色ＬＥＤ４２ｂ、青色ＬＥＤ４２ｃが実装された基板４０が設けられる。基板４０は、上ケース３２と下ケース３４によって狭持されることによって固定される。
【００３３】
基板４０の上面には、赤色ＬＥＤ４２ａ、緑色ＬＥＤ４２ｂ、青色ＬＥＤ４２ｃが実装される。本実施の形態に係る灯具１４においては、赤色ＬＥＤ４２ａ、緑色ＬＥＤ４２ｂ、青色ＬＥＤ４２ｃの３つのＬＥＤが、１つの発光ユニット４８として互いに近接した位置に実装される。図３に示すように、基板４０には、所定の間隔で５つの発光ユニット４８が設けられる。上ケース３２には、発光ユニット４８の位置に対応してＬＥＤ開口部３０が設けられている。発光ユニット４８の発光した光は、このＬＥＤ開口部３０を介してケース外部に放射される。ＬＥＤ開口部３０には、エポキシ樹脂などの光透過性樹脂が充填されてもよい。
【００３４】
基板４０の下面の両端には、第１接点ばね３６、第２接点ばね３７が設けられる。第１接点ばね３６、第２接点ばね３７は、下ケース３４の下面から突出するように設けられ、灯具１４と配線ダクトレール１２を電気的に接続する。第１接点ばね３６、第２接点ばね３７は、配線ダクトレール１２の４本の導線２２に対応してそれぞれ４つずつ設けられる。
【００３５】
図４は、灯具１４の電気的構成を示す図である。上述したように、本実施の形態に係る灯具１４は、赤色ＬＥＤ４２ａ、緑色ＬＥＤ４２ｂ、青色ＬＥＤ４２ｃで構成される発光ユニット４８を５つ備える。すなわち、灯具１４は、赤色ＬＥＤ４２ａ、緑色ＬＥＤ４２ｂ、青色ＬＥＤ４２ｃを各５個ずつ備える。
【００３６】
図４に示すように、第１赤色用接点ばね３６ａは、基板４０に設けられた赤色用電力供給線５２を介して第２赤色用接点ばね３７ａと接続される。第１緑色用接点ばね３６ｂは、基板４０に設けられた緑色用電力供給線５４を介して第２緑色用接点ばね３７ｂと接続される。第１青色用接点ばね３６ｃは、基板４０に設けられた青色用電力供給線５６を介して第２青色用接点ばね３７ｃと接続される。第１コモン用接点ばね３６ｄは、基板４０に設けられたコモン線５０を介して第２コモン用接点ばね３７ｄと接続される。
【００３７】
本実施の形態に係る灯具１４では、同色のＬＥＤは直列に接続される。５つの赤色ＬＥＤ４２ａは、赤色ＬＥＤ配線を介して直列に接続される。直列に接続された５つの赤色ＬＥＤ４２ａの先頭のＬＥＤのカソードは、赤色用電力供給線５２に接続され、最後尾のＬＥＤのアノードは、電流制限用の赤色用抵抗４６ａを介してコモン線５０に接続される。５つの緑色ＬＥＤ４２ｂは、緑色ＬＥＤ配線を介して直列に接続される。直列に接続された５つの緑色ＬＥＤ４２ｂの先頭のＬＥＤのカソードは、緑色用電力供給線５４に接続され、最後尾のＬＥＤのアノードは、電流制限用の緑色用抵抗４６ｂを介してコモン線５０に接続される。５つの青色ＬＥＤ４２ｃは、青色ＬＥＤ配線を介して直列に接続される。直列に接続された５つの青色ＬＥＤ４２ｃの先頭のＬＥＤのカソードは、青色用電力供給線５６に接続され、最後尾のＬＥＤのアノードは、電流制限用の青色用抵抗４６ｃを介してコモン線５０に接続される。
【００３８】
灯具１４が配線ダクトレール１２に装着されると、第１赤色用接点ばね３６ａ、第２赤色用接点ばね３７ａは、配線ダクトレール１２の赤色ＬＥＤ用導線２２ａと電気的に接続される。第１緑色用接点ばね３６ｂ、第２緑色用接点ばね３７ｂは、配線ダクトレール１２の緑色ＬＥＤ用導線２２ｂと電気的に接続される。第１青色用接点ばね３６ｃ、第２青色用接点ばね３７ｃは、配線ダクトレール１２の青色ＬＥＤ用導線２２ｃと電気的に接続される。第１コモン用接点ばね３６ｄ、第２コモン用接点ばね３７ｄは、配線ダクトレール１２のコモン用導線２２ｄと電気的に接続される。
【００３９】
以上のように構成された照明装置１０の動作について説明する。配線ダクトレール１２の４本の導線２２は、それぞれ一端が図示しない制御装置に接続される。
【００４０】
制御装置により、コモン用導線２２ｄの電位は所定の電位に設定される。これにより、灯具１４のコモン線５０も所定の電位となる。この状態で、制御装置により、配線ダクトレール１２の赤色ＬＥＤ用導線２２ａ、緑色ＬＥＤ用導線２２ｂ、青色ＬＥＤ用導線２２ｃの電位をコモン用導線２２ｄの電位よりも低い電位に設定すると、灯具１４のコモン線５０と、赤色用電力供給線５２、緑色用電力供給線５４、青色用電力供給線５６との間にそれぞれ電位差が生じるので、ＬＥＤを発光させることができる。赤色用電力供給線５２、緑色用電力供給線５４、青色用電力供給線５６の電位は、赤色ＬＥＤ４２ａ、緑色ＬＥＤ４２ｂ、青色ＬＥＤ４２ｃによる電圧降下分を考慮して設定する。
【００４１】
制御装置によって赤色ＬＥＤ用導線２２ａ、緑色ＬＥＤ用導線２２ｂ、青色ＬＥＤ用導線２２ｃの電位をそれぞれ制御することにより、赤色ＬＥＤ４２ａ、緑色ＬＥＤ４２ｂ、青色ＬＥＤ４２ｃの発光強度を制御することができるので、フルカラー発光が可能な照明装置を実現できる。
【００４２】
図５は、配線ダクトレールを接続した照明装置１００を示す図である。図５に示すように、照明装置１００は、第１配線ダクトレール６０と、第２配線ダクトレール６２と、第１灯具６４と、第２灯具６６と、第３灯具６８と、を備える。第１配線ダクトレール６０、第２配線ダクトレール６２は、図１において示した配線ダクトレール１２と同様のものである。また、第１灯具６４、第２灯具６６、第３灯具６８は、図１において示した灯具１４と同様のものである。
【００４３】
図５に示すように、第１配線ダクトレール６０と第２配線ダクトレール６２は、それぞれの端面を突き合わせて配置される。第１配線ダクトレール６０と第２配線ダクトレール６２は、例えば両面テープを用いて壁面や天井に固定される。
【００４４】
照明装置１００において、第１灯具６４は第１配線ダクトレール６０に装着され、第３灯具６８は第２配線ダクトレール６２に装着されている。第２灯具６６は、灯具の半分が第１配線ダクトレール６０に装着され、残りの半分が第２配線ダクトレール６２に装着されている。すなわち、第２灯具６６の第１赤色用接点ばね、第１緑色用接点ばね、第１青色用接点ばね、第１コモン用接点ばねは、第１配線ダクトレール６０の赤色ＬＥＤ用導線、緑色ＬＥＤ用導線、青色ＬＥＤ用導線、コモン用導線にそれぞれ電気的に接続される。また、第２灯具６６の第２赤色用接点ばね、第２緑色用接点ばね、第２青色用接点ばね、第２コモン用接点ばねは、第２配線ダクトレール６２の赤色ＬＥＤ用導線、緑色ＬＥＤ用導線、青色ＬＥＤ用導線、コモン用導線にそれぞれ電気的に接続される。
【００４５】
図５に示すように第１配線ダクトレール６０と第２配線ダクトレール６２にまたがって第２灯具６６を装着した場合、第１配線ダクトレール６０の赤色ＬＥＤ用導線は、第２灯具６６の第１赤色用接点ばね、赤色用電力供給線、第２赤色用接点ばねを介して第２配線ダクトレール６２の赤色ＬＥＤ用導線に電気的に接続される。また、第１配線ダクトレール６０の緑色ＬＥＤ用導線は、第２灯具６６の第１緑色用接点ばね、緑色用電力供給線、第２緑色用接点ばねを介して第２配線ダクトレール６２の緑色ＬＥＤ用導線に接続される。また、第１配線ダクトレール６０の青色ＬＥＤ用導線は、第２灯具６６の第１青色用接点ばね、青色用電力供給線、第２青色用接点ばねを介して第２配線ダクトレール６２の青色ＬＥＤ用導線に接続される。また、第１配線ダクトレール６０のコモン用導線は、第２灯具６６の第１コモン用接点ばね、コモン線、第２コモン用接点ばねを介してコモン用導線に接続される。以上のように、照明装置１００において、第２灯具６６は、第１配線ダクトレール６０と第２配線ダクトレール６２とを電気的に接続する機能を有している。
【００４６】
照明装置１００においても、第１配線ダクトレール６０または第２配線ダクトレール６２の一端を図示しない制御装置に接続し、各導線の電位を制御することにより、第１灯具６４、第２灯具６６、第３灯具６８に搭載された赤色ＬＥＤ、緑色ＬＥＤ、青色ＬＥＤの発光強度を制御することができるので、フルカラー発光を行うことができる。
【００４７】
照明装置１００を商業空間の装飾用途に用いるとき、数メートルから数十メートルに渡って配線ダクトレールの敷設が必要な場合がある。そのような場合には、ある所定の長さの配線ダクトレールをいくつか連結することによって所望の長さの配線ダクトレールを得ることができるが、配線ダクトレール間の接続にジョイナーを用いると、ジョイナーの位置する箇所には灯具が配置できない。そのため、配線ダクトレールの繋ぎ目では、連続したＬＥＤの発光がとぎれ、装飾効果が低下してしまう。本実施の形態に係る照明装置１００によれば、配線ダクトレールの繋ぎ目でも発光の連続性がとぎれることがなく、装飾効果を高めることができる。
【００４８】
以上、本発明を実施例をもとに説明した。この実施例は例示であり、それらの各構成要素の組合せにいろいろな変形例が可能なこと、またそうした変形例も本発明の範囲にあることは当業者に理解されるところである。
【００４９】
例えば、上記の実施の形態では、配線ダクトレールの底面部を基部として、底面部に導線を設けたが、側部を基部として側部に溝を形成し、この側部の溝に断面円形状の導線を収容保持してもよい。この場合も、配線ダクトレールにねじれが生じた場合に、導線は溝部内を回転することができるので、溝部から導線が外れることを防止できる。
【００５０】
また、上記の実施の形態では、灯具において同色のＬＥＤを直列に接続したが、並列に接続してもよい。この場合も、フルカラー発光を行うことができるとともに、配線ダクトレールを電気的に接続することができる灯具を実現できる。
【図面の簡単な説明】
【００５１】
【図１】本実施の形態に係る照明装置を示す図である。
【図２】本実施の形態に係る配線ダクトレールの正面図である。
【図３】図１に示す灯具のＸ−Ｘ断面図である。
【図４】灯具の電気的構成を示す図である。
【図５】配線ダクトレールを接続した照明装置を示す図である。
【符号の説明】
【００５２】
１０  照明装置、  １２  配線ダクトレール、  １４  灯具、  １６  基部、  １８  灯具係止部、  ２０  側部、  ２２  導線、  ２２ａ  赤色ＬＥＤ用導線、  ２２ｂ  緑色ＬＥＤ用導線、  ２２ｃ  青色ＬＥＤ用導線、  ２２ｄ  コモン用導線、  ２４  溝部。
【図１】
0004698485.tif 000003
【図２】
0004698485.tif 000004
【図３】
0004698485.tif 000005
【図４】
0004698485.tif 000006
【図５】
0004698485.tif 000007